(57)【特許請求の範囲】
【請求項１】
開き扉の開口側に相対して取りけられる一対の止め金具本体と、該一対の止め金具本体間に着脱自在に係止される数珠とから成り、前記止め金具は、基台と、該基台と一体で該基台上を上下方向に延長し、かつ、中心部に上下方向に延長する貫通孔を具備し、かつ、該貫通孔の一方の側壁又は両方の側壁に上方が開口したスリットが形成されており、該スリットを通して数珠の糸は、前記貫通孔を通して前記数珠の珠が、上方より挿脱自在に挿入されることを特徴とする家具扉の開き止め金具。
【請求項２】
開き扉の開口側に相対して取りけられる一対の止め金具本体と、該一対の止め金具本体間に着脱自在に係止される数珠とから成り、前記止め金具は、基台と、該基台と一体で該基台上を上下方向に延長する板状部材を有し、該板状部材は上方より下方に向って延長するスリットを具備するとともに該スリットの幅を珠間の間隔より狭く構成して、該スリットに前記数珠の糸部を挿脱自在に挿通するようにしたことを特徴とする家具扉の開き止め金具。
【発明の詳細な説明】
【０００１】
【発明の属する技術分野】
本発明は、家具扉の開き止め金具、より詳細には、地震による家具（リビングボード，ダイニングボード，キッチンボード等）開き扉の開きを防止する止め金具に関し、特に、小型でシンプル（部品点数が少なく、かつ、構造が簡単）で、しかも、強度もあり、ほとんどの家具に取り付けが可能な家具扉の開き止め金具に関する。
【０００２】
【従来の技術】
図４は、従来の家具扉の開き止め金具の一使用例を説明するための概略構成図で、図中、１１，１２は家具の扉で、両扉１１，１２の開口側に相対して一対の止め金具本体２１，２２が取り付けられ、一方の止め金具本体（例えば）２１には、他方の止め金具本体２２との間を結ぶ懸架部材２３（例えば、紐，鎖等）が一体的に設けられている。図４には、参考のために、この懸架部材２３を止め金具本体２２から外した状態を鎖線にて示してある。常時は、この懸架部材２３の先端部に設けられた止めバー２４を止め金具本体２２に設けられた孔等に差し込んで、図４に実線にて示すように、該懸架部材２３にて止め金具本体２１，２２間を連結して、地震時等に扉１１，１２が開かないようにしておき、扉開閉時に、該止めバー２４を止め金具本体２２から外して、扉１１，１２を開閉するようにしている。
【０００３】
【発明が解決しようとする課題】
図示例の止め金具本体２１，２２の場合、該止め金具本体２１，２２を扉１１，２２に固定するために、ビス２５等を用いて、該止め金具本体２１，２２を扉１１，２２に固定するようにしているが、扉１１，１２がガラス入り扉等の場合に、取り付けスペースＷが狭い場合がしばしばあり、そのような場合に止め金具を取り付けることができない等の問題があった。また、懸架部材２３の長さが予め決められており、それによって、止め金具本体２２，２３間の間隔が予め決まってしまう等の問題があった。
【０００４】
本発明は、上述のごとき実情に鑑みてなされたもので、取り付けスペースの狭いガラス入り扉でも簡単に取り付けでき、止め金具本体間を連結する懸架部材をペンチ等で切断して長さ調整し、素人でもキリとドライバーで好きなように取り付けできる、家具扉の開き止め金具を提供するものである。
また、本発明は、誰でも大切な家具には傷をつけたくない、美観を損ねるような大きな金具は付けたくないという心情に応え、できるだけ小型にし、家具の美観を妨げないようにした止め金具を提供するものである。
【０００５】
【課題を解決するための手段】
請求項１の発明は、開き扉の開口側に相対して取りけられる一対の止め金具本体と、該一対の止め金具本体間に着脱自在に係止される数珠とから成り、前記止め金具は、基台と、該基台と一体で該基台上を上下方向に延長し、かつ、中心部に上下方向に延長する貫通孔を具備し、かつ、該貫通孔の一方の側壁又は両方の側壁に上方が開口したスリットが形成されており、該スリットを通して数珠の糸は、前記貫通孔を通して前記数珠の珠が、上方より挿脱自在に挿入されることを特徴としたものである。
【０００６】
請求項２の発明は、開き扉の開口側に相対して取りけられる一対の止め金具本体と、該一対の止め金具本体間に着脱自在に係止される数珠とから成り、前記止め金具は、基台と、該基台と一体で該基台上を上下方向に延長する板状部材を有し、該板状部材は上方より下方に向って延長するスリットを具備するとともに該スリットの幅を珠間の間隔より狭く構成して、該スリットに前記数珠の糸部を挿脱自在に挿通するようにしたことを特徴としたものである。
【０００８】
【発明の実施の形態】
図１は、本発明による家具扉の開き止め金具の一例を説明するための図（図１（Ａ）は正面斜め上方から見た斜視図、図１（Ｂ）は上方から見た図）で、図中、１，２は止め金具本体で、これら止め金具本体１，２は、図４に示した従来技術と同様、開閉扉１１，１２のそれぞれの開閉側近傍に、該止め金具１，２の上下方向に設けられたビス穴１1，１2；２1，２2（ただし下側のビス穴１2，２2は図示せず）を利用して取り付けられるようになっている。なお、必ずしもビス穴を設ける必要はなく、例えば、両面接着テープ或いは接着剤等で取り付けるようにしてもよい。これら止め金具本体１，２は、それぞれ基台１ａ，２ａ、及び、該基台に一体に上下方向に延長して設けられた支柱１ｂ，２ｂからなり、それぞれの支柱１ｂ，２ｂは、上下方向に向って貫通孔１ｂ1，２ｂ1が設けられ、該貫通孔１ｂ1，２ｂ1の相対する側の側方には、上方に開口したスリット１ｂ2，２ｂ2が設けられている。３は数珠で、該数珠３は、周知のように、多数の珠３ａと、これらの珠を連結する糸３ｂとよりなっており、該珠３ａの径は、前述の貫通孔１ｂ1，２ｂ2の径より小さく、従って、該数珠の珠３ａをこれら貫通孔１ｂ1，２ｂ2の上方より、これら貫通孔１ｂ1，２ｂ1に入れることができる。また、前記スリット１ｂ2，２ｂ2の間隙は、前記数珠の糸３ｂの径より大きく、珠３ａの径より小さくなっている。従って、図１に示すように、前記止め金具本体１，２を開閉扉１１，１２のそれぞれの開口側近辺に取り付け、数珠３の両端の珠をそれぞれの止め金具本体１，２の貫通孔１ａ1，２ａ1に挿通すると、扉１１，１２は開くことができない。開くときは、どちらか一方又は両方の貫通孔から珠を引き出せばよい。
【０００９】
而して、本発明によれば、止め金具本体１，２の上下方向に取り付け用の孔１1，１2；２1，２2を設けることができるので、水平方向の取り付けスペース（図４に示したＷ）の狭いガラス入り扉でも（縦方向（上下方向）の取り付けスペースは十分にあるので）、簡単に取り付けることができる。また、止め金具本体同志を結ぶ懸架部材として数珠３を用いているので、ペンチ等で適当な長さで切断することにより、長さ調整も簡単にでき、素人でも、キリとドライバーとペンチさえあれば、簡単に取り付けることができる。換言すれば、大切な家具を傷つけることなく、また、美観を損ねるような大きな金具を使用することなく、小型で家具の美観を妨げない止め金具を提供することができる。
【００１０】
図２は、本発明の他の実施例を説明するための図で、同図は、片開き扉（扉１２のみ開閉可能）の実施例を示し、この実施例は、図示のように、それぞれの貫通孔１ｂ1，２ｂ1の両側にスリット１ｂ2，１ｂ3；２ｂ2，２ｂ3を設けたもの（図１に示した実施例において、更に、スリット１ｂ3，２ｂ3を付加したもの）で、このようにすると、数珠３の長さを少し長めにしておくことができ、この長めの部分の両端を持って、珠３ａを貫通孔１ｂ1，２ｂ1に挿入することができ、数珠３の長さをある程度余裕をもって適当な長さに切断することができ、また、数珠を貫通孔１ｂ1，２ｂ1に挿入する作業も非常にしやすくなる。しかも、この場合、止め金具本体１と２は、全く同じ構造なので、止め金具本体の製作コストを格好的に下げることができ、しかも、左右の区別がないので、該止め金具本体の取り付け作業が非常に楽になる。
【００１１】
図３は、本発明の他の実施例を説明するための図で、この実施例は、図１，図２に示した実施例における貫通孔を不要にし、支柱１ｂ，２ｂに単にスリット１ｂ4，２ｂ4を設けたもので、このようにすれば、止め金具本体の製作が非常に簡単になる。また、スリットの幅ｍは、基本的には珠間の間隔Ｍより狭ければよいので、支柱１ｂ，２ｂの幅を極く薄いものにすることができる（地震時に扉を開こうと働く力以上の強さであればよい）ので、止め金具本体を更に小型化することができる。
【００１３】
【発明の効果】
以上の説明から明らかなように、本発明によると、止め金具本体１，２の上下方向に取り付け用の孔１1，１2；２1，２2を設けることができるので、水平方向の取り付けスペース（図４に示したＷ）の狭いガラス入り扉でも（縦方向（上下方向）の取り付けスペースは十分にあるので）、簡単に取り付けることができる。また、止め金具本体同志を結ぶ懸架部材として数珠３を用いているので、ペンチ等で適当な長さで切断することにより、長さ調整も簡単にでき、素人でも、キリとドライバーとペンチさえあれば、簡単に取り付けることができる。換言すれば、大切な家具を傷つけることなく、また、美観を損ねるような大きな金具を使用することなく、小型で家具の美観を妨げない止め金具を提供することができる。
【図面の簡単な説明】
【図１】  本発明による家具扉の開き防止金具の一実施例を説明するための図である。
【図２】  本発明による家具扉の開き防止金具の他の実施例を説明するための図である。
【図３】  本発明による家具扉の開き防止金具の他の実施例を説明するための図である。
【図４】  従来の家具扉の開き防止金具の一例を説明するための図である。
【符号の説明】
１，２…止め金具本体、１1，１2；２1，２2…止め穴、１ａ，２ａ…基台、１ｂ，２ｂ…支柱、１ｂ1，２ｂ1…貫通孔、１ｂ2，１ｂ3，１ｂ4；２ｂ2，２ｂ3，２ｂ4…スリット、３…数珠、１１，１２…扉。
【図１】
0003664546.tif 000002
【図２】
0003664546.tif 000003
【図３】
0003664546.tif 000004
【図４】
0003664546.tif 000005